(57)【特許請求の範囲】
【請求項１】
建屋の給水配管及び給湯配管が接続される給水路及び給湯路を少なくとも備え、これらの給水路及び給湯路の下流で合流または分離したまま吐出端までの流路に連通させる給水・給湯設備において、給水側及び給湯側の流路をそれぞれ連通させる連通路を設け、前記給水側及び給湯側の流路内圧の上昇に応じてその容積を収縮させる緩衝材を前記連通路に備えてなる給水・給湯設備におけるウオーターハンマー防止構造。
【請求項２】
前記給湯側の流路から前記緩衝材までの流路断面を、前記給水側の流路から前記緩衝材までの流路断面よりも大きくしてなる請求項１記載の給水・給湯設備におけるウオーターハンマー防止構造。
【請求項３】
前記給水側の流路から前記緩衝材までの間に流路断面を絞るオリフィスを備えてなる請求項２記載の給水・給湯設備におけるウオーターハンマー防止構造。
【請求項４】
前記給湯側の流路から前記緩衝材までの間に流路断面を絞るオリフィスを備え、該オリフィスを前記給水側のオリフィスの内径より大きくしてなる請求項３記載の給水・給湯設備におけるウオーターハンマー防止構造。
【請求項５】
前記緩衝材を前記連通路の内部であって前記給湯側の流路に偏らせて配置してなる請求項１記載の給水・給湯設備におけるウオーターハンマー防止構造。
【請求項６】
前記連通路の内部であって前記緩衝材を挟んだ位置にそれぞれ流路断面を絞る水用及び湯用のオリフィスを設け、前記水用のオリフィスの流路長さを前記湯用のオリフィスよりも長くしてなる請求項１または５記載の給水・給湯設備におけるウオーターハンマー防止構造。
【請求項７】
前記緩衝材が前記給湯路側に臨む表面積を、前記給水路側に臨む表面積よりも大きくしてなる請求項１記載の給水・給湯設備におけるウオーターハンマー防止構造。
【請求項８】
前記緩衝材が前記給湯路側に臨む面を凹凸形状としてなる請求項７記載の給水・給湯設備におけるウオーターハンマー防止構造。
【請求項９】
前記給湯路から前記緩衝材までの前記連通路を、前記給水路から前記緩衝材までの前記連通路よりも低い熱伝導率の材質としてなる請求項１記載の給水・給湯設備におけるウオーターハンマー防止構造。
【請求項１０】
前記緩衝材が前記給水路側に臨む面を、該緩衝材の熱伝導率よりも小さい伝熱体で被覆してなる請求項１記載の給水・給湯設備におけるウオーターハンマー防止構造。
【請求項１１】
前記緩衝材を、前記給水路側及び給湯路側の少なくともいずれか一方に付勢する弾性手段を備えてなる請求項１記載の給水・給湯設備におけるウオーターハンマー防止構造。
【請求項１２】
少なくとも前記緩衝材が前記給水路側を臨む面の近傍の前記連通路に含まれる位置に、流路断面を絞るオリフィスを備えてなる請求項１記載の給水・給湯設備におけるウオーターハンマー防止構造。
【請求項１３】
前記オリフィスの開口断面を前記緩衝材側に向けて縮小させてなる請求項１２記載の給水・給湯設備におけるウオーターハンマー防止構造。
【請求項１４】
前記オリフィスを前記連通路の中に互いに間隔をおいて複数配列してなる請求項１２記載の給水・給湯設備におけるウオーターハンマー防止構造。
【請求項１５】
前記複数のオリフィスは、前記緩衝材からの距離に比例した開口面積の関係を持つ配列としてなる請求項１４記載の給水・給湯設備におけるウオーターハンマー防止構造。
【請求項１６】
前記緩衝材が前記連通路内で前記給水路側及び給湯路側に臨むそれぞれの面に伸縮性の皮膜層を備えてなる請求項１記載の給水・給湯設備におけるウオーターハンマー防止構造。
【請求項１７】
前記給水側の流路から前記緩衝材までの流路断面を、前記給湯側の流路から前記緩衝材までの流路断面よりも大きくしてなる請求項１記載の給水・給湯設備におけるウオーターハンマー防止構造。
【請求項１８】
前記給湯側の流路から前記緩衝材までの間に流路断面を絞るオリフィスを備えてなる請求項１または１７記載の給水・給湯設備におけるウオーターハンマー防止構造。
【請求項１９】
前記給水側の流路から前記緩衝材までの間に流路断面を絞るオリフィスを備え、該オリフィスを前記給湯側のオリフィスの内径より大きくしてなる請求項１８記載の給水・給湯設備におけるウオーターハンマー防止構造。
【請求項２０】
前記緩衝材を前記連通路の内部であって前記給水側の流路に偏らせて配置してなる請求項１または１７記載の給水・給湯設備におけるウオーターハンマー防止構造。
【請求項２１】
前記連通路の内部であって前記緩衝材を挟んだ位置にそれぞれ流路断面を絞る水用及び湯用のオリフィスを設け、前記湯用のオリフィスの流路長さを前記水用のオリフィスよりも長くしてなる請求項１または１７記載の給水・給湯設備におけるウオーターハンマー防止構造。
【請求項２２】
前記緩衝材が前記給水路側に臨む表面積を、前記給湯路側に臨む表面積よりも大きくしてなる請求項１または１７記載の給水・給湯設備におけるウオーターハンマー防止構造。
【請求項２３】
前記緩衝材が前記給水路側に臨む面を凹凸形状としてなる請求項２２記載の給水・給湯設備におけるウオーターハンマー防止構造。
【請求項２４】
前記給水路から前記緩衝材までの前記連通路を、前記給湯路から前記緩衝材までの前記連通路よりも低い熱伝導率の材質としてなる請求項１または１７記載の給水・給湯設備におけるウオーターハンマー防止構造。
【請求項２５】
前記緩衝材が前記給湯路側に臨む面を、該緩衝材の熱伝導率よりも小さい伝熱体で被覆してなる請求項１または１７記載の給水・給湯設備におけるウオーターハンマー防止構造。
【請求項２６】
前記給水路と給湯路の下流の合流部に混合弁を備えてなる請求項１から２５のいずれか１項に記載の給水・給湯設備におけるウオーターハンマー防止構造。
【請求項２７】
建屋からの給水配管及び給湯配管が接続される給水路及び給湯路を備えると共に、これらの給水路及び給湯路に形成した弁座との間の流路面積を一軸上で変更可能な圧力平衡弁を備えた給水・給湯設備において、前記給水路及び給湯路をそれぞれ連通させる連通路を設けると共に該連通路に前記圧力平衡弁のスピンドルを挿入配置し、更に前記給水路及び給湯路の流路内圧の上昇に応じてその容積を縮小させる緩衝材を前記連通路に備えてなる給水・給湯設備におけるウオーターハンマー防止構造。
【請求項２８】
前記圧力平衡弁及び緩衝材を一体のカートリッジ式として前記連通路に着脱可能としてなる請求項２７記載の給水・給湯設備におけるウオーターハンマー防止構造。
【発明の詳細な説明】
【０００１】
【発明の属する技術分野】
本発明は、水と湯とを混合して吐出する湯水混合水栓に係り、特に内蔵した弁を閉じたときにその上流側の流路で発生するウオーターハンマーを効果的に防止できるようにしたウオーターハンマー防止構造に関する。
【０００２】
【従来の技術】
たとえば、シングルレバー式の湯水混合水栓では、内蔵した摺動式の弁を閉じるときにその閉弁速度が速いと上流側での流路内圧が急激に上昇してウオーターハンマー現象を生じる。このウオーターハンマーは、シングルレバー式の湯水混合水栓に限らず、回転操作式のハンドルを持つ通常の水栓の操作においても同様に現れる。
【０００３】
このようなウオーターハンマーを防止するための基本的な構成は、閉弁操作したときの弁の閉弁速度を遅くすることで流路の急速な遮断をなくすというものか、または閉弁時の流路内の圧力上昇を吸収するというものである。前者の閉弁速度の遅延によるものは、たとえばシングルレバー式の湯水混合水栓であれば、レバーによって弁を閉弁方向に移動させるときに、この移動に対して抵抗を与えるような機構を備えたものである。
【０００４】
また、後者の圧力上昇の吸収によるものは、たとえば水圧に応動するピストン等を内部流路に臨ませて設けておき、閉弁時の内圧上昇のときにこのピストンが流路容積を大きくする向きに移動させることによって、内圧上昇を抑えるというものである。このような圧力吸収の機構を持つ湯水混合水栓としては、たとえば特開平８−２１５６７号公報に記載されているように、水栓本体の流路内またはこれに臨む位置に発泡粘弾性体を組み込み、この発泡粘弾性体の収縮によって内圧の上昇を抑えるようにしたものがある。
【０００５】
【発明が解決しようとする課題】
先の公報に記載の湯水混合水栓では、水側及び湯側のそれぞれの流路に発泡粘弾性体を備えることによって、給水側び給湯側の流路内圧の上昇を吸収するというものである。すなわち、湯水混合水栓には給水管及び給湯管がそれぞれ接続されて混合弁までの給水流路及び給湯流路がそれぞれ独立して形成され、混合弁で初めて水と湯とが混合されるので、混合弁の上流のこれらの給水流路及び給湯流路のそれぞれに発泡粘弾性体を組み込むようにしたのである。
【０００６】
このように圧力吸収のための部材を水側及び湯側のそれぞれに組み込むのでは、部品点数が増えるほかその組立て作業も煩わしくなり、生産性の面で好ましくないし、コスト面への影響も無視できない。
【０００７】
一方、水側及び湯側にそれぞれ分けて圧力吸収用の部材を配置するのであれば、それぞれの組み込み位置については互いに拘束されないので、その自由度は適度に保てる。しかしながら、少なくとも２個の圧力吸収用の部材を組み込むことから、これらが占める嵩によって水栓本体自身からみればその設計の自由度に制約を受けることにもなりやすい。
【０００８】
このように、圧力吸収によるウオーターハンマーの防止機能を持つ従来の湯水混合水栓では、圧力吸収用の部材を少なくとも２個必要とすることから、組立て作業性及び設計の自由度の面での問題がある。
【０００９】
本発明において解決すべき課題は、水側及び湯側での圧力上昇を単一の圧力吸収部材によってウオーターハンマーを抑えるようにすることで構造をより一層簡単にすると共に水栓本体の設計の自由度も向上させ得る給水・給湯設備を提供することにある。
【００１０】
【課題を解決するための手段】
本発明は、建屋からの給水配管及び給湯配管が接続される給水路及び給湯路を少なくとも備え、これらの給水路及び給湯路の下流で合流または分離したまま吐出端までの流路に連通させる給水・給湯設備において、給水側及び給湯側の流路をそれぞれ連通させる連通路を設け、前記給水側及び給湯側の流路内圧の上昇に応じてその容積を収縮させる緩衝材を前記連通路に備えてなることを特徴とする。
【００１１】
また、建屋からの給水配管及び給湯配管が接続される給水路及び給湯路を備えると共に、これらの給水路及び給湯路に形成した弁座との間の流路面積を一軸上で変更可能な圧力平衡弁を備えた給水・給湯設備において、前記給水路及び給湯路をそれぞれ連通させる連通路を設けると共に該連通路に前記圧力平衡弁のスピンドルを挿入配置し、更に前記給水路及び給湯路の流路内圧の上昇に応じてその容積を縮小させる緩衝材を前記連通路に備える構成とすることもできる。
【００１２】
【発明の実施の形態】
給水路及び給湯路の下流で合流または分離したまま吐出端までの流路に連通させるものでは、給湯側の流路から前記緩衝材までの流路断面を、給水側の流路から緩衝材までの流路断面よりも大きくしたものとすることができる。この場合、給水側の流路から前記緩衝材までの間に流路断面を絞るオリフィスを備えることができ、また、給湯側の流路から緩衝材までの間に流路断面を絞るオリフィスを備え、このオリフィスを給水側のオリフィスの内径より大きくしたものとしてもよい。
【００１３】
更に、緩衝材を連通路の内部であって給湯側の流路に偏らせて配置した構成としてもよい。この場合、連通路の内部であって緩衝材を挟んだ位置にそれぞれ流路断面を絞る水用及び湯用のオリフィスを設け、水用のオリフィスの流路長さを湯用のオリフィスよりも長くしたものとすることができる。
【００１４】
また、緩衝材が給湯路側に臨む表面積を、給水路側に臨む表面積よりも大きくしたものとすることができ、この場合では緩衝材が給湯路側に臨む面を凹凸形状とししてもよい。
【００１５】
給湯路から緩衝材までの連通路を、給水路から緩衝材までの連通路よりも低い熱伝導率の材質としたり、緩衝材が給水路側に臨む面を、この緩衝材の熱伝導率よりも小さい伝熱体で被覆したり、緩衝材を、給水路側及び給湯路側の少なくともいずれか一方に付勢する弾性手段を備えたりする構成としてもよい。
【００１６】
更に、少なくとも緩衝材が給水路側を臨む面の近傍の連通路に含まれる位置に、流路断面を絞るオリフィスを備えたものとしてもよく、この場合では、オリフィスの開口断面を緩衝材側に向けて縮小させたものとしたり、オリフィスを連通路の中に互いに間隔をおいて複数配列したりすることができ、後者の場合では、複数のオリフィスは、緩衝材からの距離に比例した開口面積の関係を持つ配列とすることができる。
【００１７】
また、緩衝材が連通路内で給水路側及び給湯路側に臨むそれぞれの面に伸縮性の皮膜層を備えたものとしてもよい。
【００１８】
更に、給水路と給湯路の流路断面の関係を以上の構成と逆としてもよく、給水側の流路から緩衝材までの流路断面を、給湯側の流路から緩衝材までの流路断面よりも大きくしたものとしてもよい。この場合、給湯側の流路から緩衝材までの間に流路断面を絞るオリフィスを備えたものとすることができ、更に給水側の流路から緩衝材までの間に流路断面を絞るオリフィスを備え、このオリフィスを給湯側のオリフィスの内径より大きくしたものとしてもよい。
【００１９】
また、緩衝材を連通路の内部であって給水側の流路に偏らせて配置したり、連通路の内部であって緩衝材を挟んだ位置にそれぞれ流路断面を絞る水用及び湯用のオリフィスを設け、湯用のオリフィスの流路長さを水用のオリフィスよりも長くしたり、緩衝材が給水路側に臨む表面積を、給湯路側に臨む表面積よりも大きくしたりすることができ、この場合では、緩衝材が給水路側に臨む面を凹凸形状としたものとしてもよい。
【００２０】
更に、給水路から緩衝材までの連通路を、給湯路から緩衝材までの連通路よりも低い熱伝導率の材質としたり、緩衝材が給湯路側に臨む面を、この緩衝材の熱伝導率よりも小さい伝熱体で被覆したりしたものとしてもよい。
【００２１】
このような各構成において、給水路と給湯路の下流の合流部に混合弁を備た湯水混合水栓とすることができる。
【００２２】
また、圧力平衡弁を備えるようにした給水・給湯設備の場合では、この圧力平衡弁及び緩衝材を一体のカートリッジ式として連通路に着脱可能としたものとしてもよい。
【００２３】
【実施例】
図１は本発明のウオーターハンマー防止構造を備えた湯水混合水栓の要部を示す縦断面図である。
【００２４】
図示の例は、シングルレバー式の湯水混合水栓であって、その上端に備える操作用のレバー及び本体の周面から突き出る吐出管を省略して示すものであり、レバー及びこれに連接される摺動弁の機構や吐出管までの流路構成はいずれも従来の湯水混合水栓において採用されている周知のものである。
【００２５】
図において、水栓本体１の下端には給水管２ａ及び給湯管２ｂが接続され、これらの給水管２ａ及び給湯管２ｂから上端に組み込んだバルブカートリッジ３までの間に給水路１ａ及び給湯路１ｂをそれぞれ独立して形成している。
【００２６】
バルブカートリッジ３は、従来のシングルレバー式の湯水混合水栓と同様に、固定弁板３ａ及びその上面を摺動する可動弁板３ｂを備え、この可動弁板３ｂを操作用のレバー（図示せず）に連接してその位置を変えることにより、水と湯との混合比及び流量を設定可能としたものである。そして、このバルブカートリッジ３の下流側に位置している環状流路３ｃに吐出管（図示せず）を連通させることにより、混合水をこの吐出管から吐出させる。
【００２７】
給水路１ａと給湯路１ｂとの間の隔壁には、給湯路１ｂに臨む面を開放したチャンバ１ｃを形成し、このチャンバ１ｃの中に給水及び給湯側の両方の流路内圧の上昇を抑える緩衝ユニット４を組み込む。この緩衝ユニット４は、水栓本体１の周壁に開けた装着口１ｄから着脱自在に差し込まれ、装着口１ｄにねじ込んだプラグ１ｅによって固定されたものである。
【００２８】
緩衝ユニット４は外郭材として円筒状のケーシング４ａを備え、このケーシング４ａの周壁が給湯路１ｂに臨んでいる部分には流路孔４ｂ，４ｃを開ける。そして、ケーシング４の左端側の内部であって流路孔４ｂ，４ｃを設けた位置には、容積エレメント（後述）を固定するための中空円筒状のストッパ４ａ−１を差し込み、このストッパ４ａ−１には流路孔４ｂ，４ｃにそれぞれ整合する孔４ａ−２，４ａ−３を設け、これらの孔４ａ−２，４ａ−３を介してケーシング４ａ内を給湯路１ｂに連通させる。また、給水路１ａ側を向く端部には小径のオリフィス４ｄを軸線方向に設け、チャンバ１ｃにはこのオリフィス４ｄを含む大きさの連絡孔１ｃ−１を設けることによって、ケーシング４ａ内を給水路１ａにも連通させている。
【００２９】
緩衝ユニット４のケーシング４ａ内には、給水及び給湯の圧力上昇に応じてその容積が縮小し圧力が定常値に戻れば初期値に復元可能な容積エレメント５を組み込む。この容積エレメント５は、図２に拡大して示すように、外ケース５ａとその中に嵌合して固定した内ケース５ｂとを備え、内ケース５ｂの両端をダイヤフラム５ｃ，５ｄによって遮蔽したものであり、外ケース５ａはケーシング４ａに対して水密状に組み込まれれ、ストッパ４ａ−１によってその軸線方向の位置を拘束されて固定される。そして、内ケース５ｂの中には外圧に応じて収縮変形してその容積を変化させる緩衝材６を充填している。
【００３０】
緩衝材６は、従来技術として挙げた特開平８−２１５６７号公報にも記載されているようなシリコーンゲル体等の発泡ゲル体を利用したものである。具体的には、ゲルまたはゴムを基材としてこれに有弾性の微小中空体を添加して形成されるシンタクティックフォームによって構成されたものであり、シリコーン製のシンタクティックフォームが好ましい。
【００３１】
このような緩衝材６において、添加される微小中空体はそれ自身が弾性変形する合成樹脂を材料とした殻によって形成されるもので、この殻を数１０〜１０００ミクロンの外径としたものである。そして、これらの微小中空体は外部からの熱伝達によって膨張し、たとえば２００〜３００ミクロンの外径とした場合が最も緩衝能力が高くなる傾向にある。したがって、緩衝材６は加熱されていて微小中空体が膨張している状態にしておけば、外圧に対する収縮変形量も大きくなり、圧力上昇に対する減衰効果も大きくなる。
【００３２】
ダイヤフラム５ｃ，５ｄは、たとえばシリコーンゴムを素材とすることができ、その板厚は通常の給水・給湯設備におけるウオーターハンマーの衝撃圧を基準として適正に設定したものである。すなわち、ウオーターハンマー発生時の圧力上昇によって内ケース５ｂの内部側に撓み変形し、封入されている緩衝材６を圧縮して全体の容積を収縮させ、圧力が低下すれば図２に示す初期の形態に復元可能となように、ダイヤフラム５ｃ，５ｄの肉厚は０．１ｍｍ程度とする。
【００３３】
なお、図２に示すように、内ケース５ｂのほぼ中央には半径方向に横切る網状の保持板５ｂ−１を設けてもよく、この保持板５ｂ−１によって発泡ゲル体の緩衝材６を安定保持することができる。
【００３４】
図１に戻って、容積エレメント５の一方のダイヤフラム５ｃは小径のオリフィス４ｄによって給水路１ａ側に連通し、他方のダイヤフラム５ｄはその殆ど全面が給湯路１ｂ側に臨んでいる。
【００３５】
すなわち、給水路１ａを通過する給水はオリフィス４ｄからダイヤフラム５ｃ側に流入するものの、給水路１ａを通過する流量に比べるとダイヤフラム５ｃ側に向かう流れは小さいため、オリフィス４ｄからの流れは淀み点に近似され、ダイヤフラム５ｃに沿う流れはほぼ停滞している。したがって、ダイヤフラム５ｃと水との間の熱交換は殆ど無視され得る程度に小さい値に抑えられる。これに対し、給湯路１ｂ側ではダイヤフラム５ｄのほぼ全面が湯の流れに曝されていて、淀み点も生じていないので、湯からの熱伝達量は大きい。
【００３６】
このようにダイヤフラム５ｃ，５ｄのそれぞれに対する水及び湯の熱伝達の関係から、給湯路１ｂを通る湯からの加熱が促進される。したがって、レバーを操作して湯を供給する場合では、給湯の開始から閉弁までの間に容積エレメント５内の緩衝材６は加熱され、先に説明したように微小中空体の膨張によって緩衝材６の全体が膨張する。すなわち、湯を使うときには緩衝材６は予め膨張変形させておくことができ、閉弁時の圧力上昇に対してはこの予膨張による変形量に相当する嵩を含めて容積を収縮させることができ、これによって内圧上昇に対する緩衝度を高めることができる。
【００３７】
以上の構成において、レバー操作によって給水及び給湯が開始されると、先に述べた水側及び湯側とダイヤフラム５ｃ，５ｄに対する熱伝達量の関係から、緩衝材６は給湯路１ａを通過する湯によって加熱されて膨張変形し、これらのダイヤフラム５ｃ，５ｄの内面に突き当たるように変形する。そして、このような緩衝材の予膨張は給湯が行われている期間を通じて継続する。
【００３８】
レバーを操作して可動弁板３ｂを移動させて固定弁板３ａとの間での流路を遮断すると、給水路１ａ及び給湯路１ｂを含めてその下流の流路内圧が一時的に急激に上昇する。このような圧力上昇に対し、給水路１ａの内圧上昇はオリフィス４ｄを経由して少し減衰しながらダイヤフラム５ｃに伝達され、給湯路１ｂの内圧上昇はそのまま直にダイヤフラム５ｄに伝達される。したがって、ダイヤフラム５ｃ，５ｄは外圧によって内側に変形し、封入されている緩衝材６を収縮変形させ、これによって容積エレメント５の全体の容積が小さくなり、閉弁時のウオーターハンマーによる圧力上昇を吸収することができる。そして、ウオーターハンマー現象が末期となって次第に流路内圧が下がっていくと、緩衝材６及びダイヤフラム５ｃ，５ｄのそれぞれが元の形状に復元していく。
【００３９】
ここで、給水路１ａ側とダイヤフラム５ｃとの間は給湯路１ｂ側よりも格段に小さい流路面積のオリフィス４ｄによって連通している。これは、先に述べたように、水側との熱伝達量を小さくすることを可能とするものであるが、この他に絞りによる減圧効果を利用することによって負圧作用で緩衝材６が給水圧によって予収縮されることを防ぎ、ウオーターハンマー吸収の効果を高めることを目的としたものである。
【００４０】
すなわち、ウオーターハンマーが発生したときの内圧の上昇は、オリフィス４ｄからケーシング４ａの内部へ向けて流路断面が急激に大きくなる流路内で伝達されるので、このような流路断面の変化によって減圧される。このため、ウオーターハンマーは容積エレメント５の収縮変形だけでなく、このオリフィス４ｄによる減圧作用によっても減衰させられることになる。このような減圧・減衰効果は、ウオーターハンマーの圧力が配管内を反射して伝播することによって生じる圧力波の各々の波に対して有効に作用し得る。
【００４１】
また、一般的な湯水混合水栓では、給水管２ａは建屋に設備された給水配管からそのまま給水されるのに対し、給湯管２ｂはたとえば電気温水器からの供給管に接続される。このため、給水側の圧力は給湯側に比べるとかなり供給圧が高い傾向にあり、給水路１ａへの給水及び給湯路１ｂへの給湯についてもこのような圧力差を生じたままである。したがって、仮に給水側に臨んでいるダイヤフラム５ｃが給湯側のダイヤフラム５ｄと同様にそのほぼ全面が給水路に臨むような構成とした場合では、給水と給湯との間の圧力差を持った状態でこれらのダイヤフラム５ｃ，５ｄに外圧が作用することになる。
【００４２】
すなわち、緩衝材６がより高圧である給水側に臨んでいる側は、給水圧により予め圧縮されてしまいウオーターハンマーが発生したときの緩衝材６自身の容積収縮の嵩が減少してしまう。これに対し、給水側の流路に小径のオリフィス４ｄを設けることによって、流水時の負圧作用でダイヤフラム５ｃが臨む部分の圧力を給水圧よりも低くすることができる。したがって、先に述べたような給水側及び給湯側との間の圧力差を抑えることが可能である。
【００４３】
図３は容積エレメント５の他の例であって、これは給湯路１ｂ側に臨むダイヤフラム５ｄの縦断面形状を波形として伝熱面積を増やしたものである。
【００４４】
図示のようにダイヤフラム５ｄを波形状とすることで、図２に示した平板状のものと比べると表面積が大きくなり、これによって給湯路１ｂを通過する湯からの緩衝材６への熱伝達量を増やすことができる。したがって、たとえば混合水の温度を低くして使う場合のように給湯量が給水量に比較して小さいときでも、緩衝材６への伝熱量を確保することによってその予膨張を得ることができ、閉弁時のウオーターハンマーに対する圧力吸収が確実に行われる。
【００４５】
図４は緩衝ユニット４を水栓本体１の外部に設ける例であり、図示の例では図１に示した給水管２ａ及び給湯管２ｃの基端に接続されたハウジング７に収納されている。なお、図４以降の例においては、先の例と同じ部材について共通の符号で指示するものとし、その詳細な説明は省略する。
【００４６】
ハウジング７に形成された給水路７ａ及び給湯路７ｂのそれぞれに給水配管８ａ及び給湯配管８ｂが接続され、図１に示したものと同じ緩衝ユニット４がハウジング７の中に差し込まれ、プラグ７ｃによって固定されている。
【００４７】
この例でもオリフィス４ｄはハウジング７に開けた連絡孔７ｄによって給水路７ａに連通しているので、給水及び給湯の後に閉弁されると、先の例と全く同様に緩衝材６の収縮及びダイヤフラム５ｃ，５ｄの一時的な凹み変形によってウオーターハンマーによる圧力上昇を抑えることが可能である。
【００４８】
図５は外ケース５ａの中に緩衝材６をそのまま収納し、この緩衝材６が給水路７ａ側を向く面に断熱皮膜６ａを接合したものであり、その他の構成は図４に示したものとほぼ同様である。
【００４９】
断熱皮膜６ａは緩衝材６の熱伝導率よりも低い値を持つ伝熱体であって、緩衝材６から給水路７ａ側への放熱を抑制することによって、緩衝材６の予膨張を促進させることができる。すなわち、図３の例では波形状のダイヤフラム５ｄによって湯側から緩衝材６への伝熱量を増やすことで予膨張を促進していたのに対し、給水路７ａ側に臨んで低温の給水に触れる部分からの抜熱を抑えることによって、予膨張を確保することができ、先の例と同様にウオーターハンマー発生時の圧力吸収を確実に行わせることができる。
【００５０】
図６は緩衝ユニット４を給湯側の配管に組み込み給水側とは距離をおいた配置とした例である。
【００５１】
図４の例と同様に水栓本体に接続される給湯管２ｂの基端にハウジング９を連結し、給水管２ａの基端にはこのハウジング９に連通する継手ブロック１０を連結している。
【００５２】
ハウジング９は給湯配管（図示せず）に連通する給湯路９ａを内部に形成し、この給湯路９ａの軸線と直交する向きに先の例と同じ構成とした容積エレメント５を組み込み、そのダイヤフラム５ｄを給湯路９ａに臨ませている。この容積エレメント５は給湯路９ａの中に組み込んだスペーサ９ｂを一端に突き当てると共にこのスペーサ９ｂを拘束するプラグ９ｃによって固定されている。また、ダイヤフラム５ｃに臨む側のハウジング９には小径のポート９ｄを外部に開放している。一方、継手ブロック１０もその内部に給水路１０ａを形成すると共に、ハウジング９のポート９ｄと同軸となる位置にポート１０ｂを開放したものである。
【００５３】
これらのポート９ｄ，１０ｂの間は、小径のオリフィス管１１によって接続する。ポート９ｄ，１０ｂ及びオリフィス管１１の流路面積は給水路９ａのそれと比較して格段に小さく、オリフィス管１１の長さは先の例で述べたように十分な減圧及びダイヤフラム５ｃとの間での熱伝達が促進されない程度に設定したものである。
【００５４】
給水路１０ａからダイヤフラム５ｃまでは、ポート１０ｂ，オリフィス管１１及びポート９ｄの小さい流路面積の流路によって連通しているので、これらの流路の全長が長い一つのオリフィスとして形成される。すなわち、この図６に示すものは、図４の例においてオリフィス４ｄを長くしたものに相当するものであり、給水路１０ａを給水管２ａ側に向けて流れる給水からの分岐流を流路抵抗によって図４の例に比較して減圧度を大きくしようとしたものである。
【００５５】
給水路１０ａからハウジング９側に分岐してハウジング９内に流れ込む水は、給水路１０ａから十分に離れているため、この給水路１０ａを給水管２ａ側に向かう流れの場の影響を受けにくい。このため、ダイヤフラム５ｃ部分に溜まる水は殆ど淀み点の状態にあり、図４の例で説明したようにダイヤフラム５ｃとの熱交換の促進度合いは小さい。したがって、給湯側による緩衝材６に対する熱伝達の方が優勢となり、その予膨張が確実に行われ、閉弁時での緩衝材６の収縮変形を大きくして流路内の圧力上昇を抑えることができる。また、緩衝材６が給水路１０ａ側を向く面には小径のオリフィス９ｄ及びオリフィス管１１が介在しているので、図１の例と同様に給水側と給湯側との圧力差を抑えることができ、ウオーターハンマーの防止がより確実に行われる。
【００５６】
更に、ハウジング９からの放熱を抑えることによって給湯から容積エレメント５への伝熱が促進させるようにすることが、緩衝材６の予膨張を図る上で好ましい。このため、給湯路９ａを形成するハウジング９自身及びプラグ９ｃは熱伝導率を低くすれば放熱を抑えることができるので、たとえば樹脂素材によってこれらの部材を形成すればよい。
【００５７】
図７から図１０は図６の例におけるハウジング９の別の構成をそれぞれ示すものであり、図７の例はスペーサ９ｂと容積エレメント５との間にオリフィス板１２を組み込み、このオリフィス板１２に湯用オリフィス１２ａを容積エレメント５と同軸上に開けたものである。
【００５８】
湯用オリフィス１２ａは給水側のオリフィス４ｄよりも開口径が大きく、給水側に比べてダイヤフラム５ｄに臨む部分に流入する湯の減圧度は小さい。そして、このような湯用オリフィス１２ａを備えることで、閉弁時でのウオーターハンマーの発生による湯側の圧力上昇は、ダイヤフラム５ｄに伝達される前に減圧される。このため、たとえば湯の温度が低い状態で使用しているときに緩衝材６の予膨張量が余り大きくないような場合でも、湯用オリフィス１２ａによる湯側の減圧によって収縮変形量が小さくても圧力上昇を十分に吸収することができる。
【００５９】
図８の例は湯用オリフィス１２ａを給水側のオリフィス４ｄとほぼ同じ内径としたものである。
【００６０】
このように湯用オリフィス１２ａの内径を小さくすることで、ダイヤフラム５ｄ側へ流入する湯の圧力を更に減圧することができる。たとえば、給水圧と給湯圧との差が無視できる程度の設備の場合では、ダイヤフラム５ｃ，５ｄに臨む給水及び給湯の圧力を平衡させることができるので、給水側及び給湯側において緩衝材６の収縮変形量を均等に分けられることになり、水側及び湯側でのウオーターハンマーの抑制が可能となる。
【００６１】
また、オリフィス４ｄ及び湯用オリフィス１２ａを備えることによって、ウオーターハンマー発生時にダイヤフラム５ｃ，５ｄが受ける圧力自身も低下させることができる。このため、先に述べたように湯の温度が低かったり給水だけをする場合であれば緩衝材６の予膨張が小さくて圧力吸収能が減衰するのに対し、ウオーターハンマーによる圧力上昇はオリフィス４ｄ及び湯用オリフィス１２ａによって減圧されるので、予膨張が十分でない態勢の緩衝材６であってもこの圧力上昇に感応して適度に収縮変形し、ウオーターハンマーの抑制を図ることが可能となる。
【００６２】
図９は図８の例において給水側のオリフィス４ｄの軸線長さを湯用オリフィス１２ａのそれよりも長くしたものである。
【００６３】
このようにオリフィス４ｄを長くすると、給水の通過長さ及び絞り度が大きくなるので、湯側よりも給水側を減圧することができ、給水圧と給湯圧との差が通常の一般的な設備の場合よりも格段に大きいような場合でも、ダイヤフラム５ｃ，５ｄに対する給水圧と給湯圧とが平衡する向きに設定することができる。
【００６４】
また、一般に給水圧が高いので、ウオーターハンマーが発生したときもダイヤフラム５ｃに対する圧力負荷も高くなるが、オリフィス４ｄを長くすることで、ウオーターハンマーの圧力上昇自身も確実に減圧することが可能である。
【００６５】
図１０はポート９ｄ側に２枚のオリフィス板１３，１４を設けると共に、給湯路９ａとダイヤフラム５ｄとの間にも２枚のオリフィス板１５，１６を組み込んだ例であり、これらのオリフィス板１３〜１６にはそれぞれ水用オリフィス１３ａ，１４ａ及び湯用オリフィス１５ａ，１６ａを開けている。ポート９ｄ側のオリフィス板１３の水用オリフィス１３ａはダイヤフラム５ｃ側のオリフィス板１４の水用オリフィス１４ａよりも大きく、給湯路９ａ側のオリフィス板１５の湯用オリフィス１５ａはダイヤフラム５ｄ側のオリフィス板１６の湯用オリフィス１６ａよりも大きい。
【００６６】
このように水側及び湯側のそれぞれに２枚のオリフィス板１３〜１６を設け、しかもオリフィス孔１３ａ〜１６ａはダイヤフラム５ｃ，５ｄ側へ順に流路が絞られる関係となっているので、給水側及び給湯側の圧力の減圧効果を大きくすることができる。
【００６７】
図１１は容積エレメント５をハウジング９内でその軸線方向に移動可能に組み込んだ例であり、ウオーターハンマーの圧力上昇を減衰させる機能を拡充したものである。
【００６８】
容積エレメント５の外ケース５ａはその外周面をハウジング９の内周壁に水密状に接合した状態で図において左右方向に摺動可能に組み込まれている。そして、ポート９ｄ側には水用スプリング１７を組み込んで容積エレメント５を左向きに付勢し、スペーサ９ｂとの間には湯用スプリング１８を備えて容積エレメント５を右側に付勢している。
【００６９】
このような水用及び湯用スプリング１７，１８を備えることによって、給水側の圧力のほう給湯側よりも一般的には高いので、先にも述べたようにウオーターハンマーが発生したときには給水側の圧力上昇が高い。したがって、容積エレメント５を挟んだ給水側と給湯側との間の圧力差によって、容積エレメント５は湯用スプリング１８を圧縮しながら左側に移動する。この容積エレメント５の移動は給水側の内部流路の容積を広げるものとなり、給水側の圧力上昇を吸収してこれを緩衝する。
【００７０】
また、容積エレメント５が移動して停止する期間を通じてダイヤフラム５ｃ，５ｄにはそれぞれ給水圧及び給湯圧が加わっているので、これらの圧力によってダイヤフラム５ｃ，５ｄの凹み変形と緩衝材６の収縮変形も同時に起きる。したがって、水側では容積エレメント５の移動による流路の拡大と緩衝材６の収縮による容積の拡大が同時に発生し、給水側の圧力上昇を十分に吸収することができる。
【００７１】
図１２は容積エレメント５を湯水混合水栓と給水及び給湯のための脚管との間にウオーターハンマー防止のための継手に組み込んだ例を示す切欠平面図、図１３は図１２のＡ−Ａ線矢視による縦断面図である。
【００７２】
湯水混合水栓の水栓本体２１には、建屋の給水及び給湯配管に連結される給水脚管２２ａ及び給湯脚管２２ｂに接続した継手２３を介して流路が接続されている。継手２３の背部には給水脚管２２ａ及び給湯脚管２２ｂにそれぞれ連通する水流入口２３ａ及び湯流入口２３ｂを備え、内部は隔壁２３ｃによって水室２３ｄと湯室２３ｅとに区画され、これらの水室２３ｄ及び湯室２３ｅがそれぞれ水栓本体２１の水側及び湯側の流路に接続されている。
【００７３】
隔壁２３ｃには環状に立ち上げた固定座２３ｆを形成すると共に、この固定座２３ｆの底部には水室２３ｄに連通する小径のオリフィス２４を開け、更に継手２３の上面には固定座２３ｆと同軸上に容積エレメント５の取付け口２３ｇを開けている。
【００７４】
容積エレメント５は先に示したものと同様の構造であり、取付け口２３ｇにねじ接合したプラグ２５によって上面を拘束して固定されている。このプラグ２５はその周壁に孔２５ａを開けて湯流入口２３ｂから水栓本体２１に向かう湯がダイヤフラム５ｄの表面を巡って通過していくようにする。
【００７５】
この例でも、供給圧が高い給水側にダイヤフラム５ｃ側をオリフィス２４によって連通させているので、ウオーターハンマー発生時の給水側の圧力上昇と給湯側との間の圧力差を小さくして容積エレメント５の緩衝材６を収縮変形させることができる。そして、オリフィス２４による絞りによって、ウオーターハンマーの圧力上昇自身が減圧された状態でダイヤフラム５ｃに圧力を加えることができる。
【００７６】
なお、給水側にオリフィス２４を設けるのに代えて、たとえば図８で説明したように給湯側のダイヤフラム５ｄに臨む部分にオリフィスを設けるようにし、給湯側でのウオーターハンマーによる圧力上昇を同様に減圧する構成としてもよい。
【００７７】
以上の各構成では、緩衝材６を封入した容積エレメント５についてそのダイヤフラム５ｄを積極的に給湯側と熱伝達ができるようにして緩衝材６を予め膨張させておき、閉弁時にはこの膨張分も含めて利用してウオーターハンマーの圧力上昇を吸収するようにしている。
【００７８】
一方、緩衝材６はシリコーンゲル等を素材としたものなので、耐熱性を考慮する必要があり、給湯温度が高い設備の場合では緩衝材６に対する熱影響によってその収縮変形の機能が劣化してしまう時間も短くなる傾向にある。
【００７９】
これに対し、緩衝材６は先に述べたよう微小中空体を含む基材自身が弾性収縮可能な素材であることから、加熱によって予め膨張させておかなければウオーターハンマー発生時の圧力上昇を吸収できないというものではない。このことは、従来技術の項で挙げた特公平８−２１５６７号公報における多数の独立気泡を有するゲル体から構成された発泡粘弾性体を給水側の流路に組み込んでウオーターハンマーを防止するという構成からも明らかである。
【００８０】
そこで、図１から図１３で説明した給水側と給湯側との流路を入れ替えた構成としても、緩衝材６の収縮変形を利用した容積エレメント５によってウオーターハンマー発生時の圧力上昇を吸収することができる。たとえば、図１の例においては、給水管２ａを給湯管とすると共に給湯管２ｂを給水管に入れ替える構成とすればよいし、図４の例では給水配管８ａを給湯配管及び給湯配管８ｂを給水配管と差し替えた構成とすればよい。また、図６及び図１１に示した例ではハウジング９側を給水路とすると共に継手ブロック１０側を給湯路に切り替えればよく、図１２及び図１３の例であれば給水脚管２２ａと給湯脚管２２ｂとを入れ替えた構成とするか、または継手２３を１８０°回転させた配置とすればよい。
【００８１】
このように、給水側にダイヤフラム５ｄを広い接触面として展開した配置とすることで、給湯側に臨んでいるダイヤフラム５ｃから緩衝材６に熱伝達されても、給水は常に水栓側に流動していてダイヤフラム５ｄを介して緩衝材６と熱交換するので、緩衝材６の温度上昇を避けることができる。このため、緩衝材６の熱劣化を遅延させることが可能となり、容積エレメント５の耐久性の向上が可能となる。
【００８２】
また、湯水混合水栓側の閉弁操作のときのウオーターハンマーの発生に対しても、先の各例と同様の理由によって水側も湯側もその圧力上昇を防ぐことができる。唯、給水側の圧力上昇が高いため、図８から図１０に示したように、給水と給湯側とを入れ替えたときに給水側にオリフィス（符号１２ａ，１５ａ，１６ａに相当）を設けたものや、図１１に示したスプリング（符号１７，１８に相当）を組み込んだ構成とすることが好ましい。
【００８３】
図１４は湯水混合水栓の上流側に配置され給水と給湯の圧力を平衡させて湯水混合水栓に供給するようにした圧力平衡弁にウオーターハンマー防止機構を備えた例を示す横断面図である。
【００８４】
圧力平衡弁の本体３１には水流入口３１ａ及び湯流入口３１ｂを備えてこれらの流入口３１ａ，３１ｂをそれぞれ建屋側の給水及び給湯配管に接続し、内部に区画して形成された水室３１ｃ及び湯室３１ｄを介してそれぞれ給水口３１ｅ及び給湯口３１ｆに連通させている。そして、給水口３１ｅ及び給湯口３１ｆは、たとえば図１において示した給水管２ａ及び給湯管２ｂにそれぞれ接続される。
【００８５】
水室３１ｃ及び湯室３１ｄにはそれぞれ環状断面の弁座ブロック３２，３３をリテーナリング３７によって同軸上に結合してカートリッジ式として本体３１に対して着脱自在に組み込むと共に、その周壁を貫通する流路によって水流入口３１ａ及び湯流入口３１ｂに連通する水流路３２ａ及び湯流路３３ａをこれらの弁座ブロック３２，３３の中に形成する。そして、これらの弁座ブロック３２，３３には、それぞれの端面に弁座３２ｂ，３３ｂを設ける。
【００８６】
弁座ブロック３２，３３の水流路３２ａ及び湯流路３３ａにはスピンドル３４をその軸線方向に移動可能に組込み、その左右両端側に設けた水弁体３４ａ及び湯弁体３４ｂをそれぞれ弁座３２ｂ，３３ｂに対峙させる。このスピンドル３４は本体３１にねじ込まれて弁座ブロック３２，３３及びリテーナリング３７を本体３１内に固定するプラグ３１ｇのガイド３１ｈ及び弁座ブロック３３に設けたガイド３３ｃに両端を差し込まれて支持されたものであり、水流路３２ａ及び湯流路３２ｂ内に位置する部分にはそれぞれの周壁を摺動するフランジ３４ｃ，３４ｄを形成すると共に、これらのフランジ３４ｃ，３４ｄには複数のオリフィス３４ｃ−１，３４ｄ−１を開ける。
【００８７】
更に、フランジ３４ｃ，３４ｄの間には小径の保持フランジ３５ａ，３５ｂを設け、これらの間に先の各例で示したものと同様の機能を持つ容積エレメント３６を配置する。この容積エレメント３６は、弁座ブロック３２，３３の間に介装したリテーナリング３７の内周面と保持するフランジ３５ａ，３５ｂとの間に展開させて一対のダイヤフラム３６ａ，３６ｂとその中に封入した緩衝材３６ｃによって構成されたものである。なお、緩衝材３６ｃは先の例と同様に、シリコーンゲル等を素材として弾性収縮可能としたものである。
【００８８】
スピンドル３４は、従来周知の圧力平衡弁と同様に、給水圧及び給湯圧の変動によって軸線方向に移動し、それぞれの圧力差を相殺するようにして給水口３１ｅ及び給湯口３１ｆから同じ供給圧として水及び湯を湯水混合水栓側に供給する。そして、湯水混合水栓側で弁を急速に閉じる操作をしたときには、通常の配管の場合と同様にその上流ではウオーターハンマーを生じ、このときの圧力上昇も圧力平衡弁の本体３１内の流路に伝達される。
【００８９】
このような圧力上昇に対しては、容積エレメント３６のダイヤフラム３６ａ，３６ｂまでそれぞれオリフィス３４ｃ−１，３４ｄ−１によって水側及び湯側の流路が連通しているので、これらのダイヤフラム３６ａ，３６ｂに圧力が伝達される。したがって、緩衝材３６ｃが収縮して水流路３２ａ及び湯流路３３ａの中で占める容積割合が減少し、これによって圧力上昇を吸収することができる。
【００９０】
また、本体３１に対して弁座ブロック３２，３３及びリテーナブロック３７を含みこれらに保持されたスピンドル３４も本体１から取り外せるようにカートリッジ式としているので、容積エレメント３６の交換や保守点検も容易に行うことができる。
【００９１】
更に、図１５はピストン式の圧力平衡弁を示す概略横断面図である。
【００９２】
流路構成は図１４のものと殆ど同様であり、本体４１には水流入口４１ａ，湯流入口４１ｂ，給水口４１ｃ及び給湯口４１ｄを設け、給水口４１ｃ及び給湯口４１ｄ側へのそれぞれの流路の中途に水弁座４２ａ及び湯弁座４２ｂを配置している。そして、水弁体４３ａ及び湯弁体４３ｂを両端に設けたスピンドル４３の中間部分にはピストン４４を設け、その周面を本体４１の内周に形成した摺動座４１ｅに対して水密状で摺動可能に組み込んでいる。
【００９３】
なお、スピンドル４３は摺動座４１ｅの左右に配置した環状のガイド４１ｆを貫通して支持され、これらのガイド４１ｆには多数の孔４１ｇを開けてピストン４４の両端をそれぞれ給水側及び給湯側に連通させている。
【００９４】
ピストン４４の両端面には前記の各例で示したものと同様の機能を持つ容積エレメント４５，４６を組み込む。図１６に示すように、給水側に臨む面の容積エレメント４５は環状としてピストン４４の中に埋設されたものであり、その表面をダイヤフラム４５ａで被覆するとと共に内部には緩衝材４５ｂを封入したものである。また、給湯側に臨む容積エレメント４６も全く同様の構造である。
【００９５】
このようなピストン４４式の圧力平衡弁であっても、湯水混合水栓側での急速な閉弁の際のウオーターハンマーによる圧力上昇は、給水側でも給湯側での容積エレメント４５，４６に伝達され、これらの容積の縮小を利用することによって圧力上昇を吸収することができる。
【００９６】
【発明の効果】
本発明では、たとえば湯水混合水栓の場合では、その本体の内部の給水路と給湯路との間やこれらの給水路及び給湯路に接続される建屋側の給水配管と給湯配管との間に連通路を設けてこの中に緩衝材を備えるだけで、給水側及び給湯側の両方の圧力上昇を吸収することができ、従来のように給水側及び給湯側のそれぞれに緩衝材を組み込むのに比べると構造が簡単になる。このため、部品点数が少なくなるほか組み立て作業も簡略化されると共に、緩衝材が占める嵩も半減するので、水栓等に対する設計の自由度が抑えられることもなく、湯水混合水栓だけでなく各種の水栓を含む給水・給湯設備に好適に利用できる。
【図面の簡単な説明】
【図１】本発明のウオーターハンマー防止構造を備えた湯水混合水栓の要部を示す正面縦断面図である。
【図２】容積エレメントの詳細を示す拡大縦断面図である。
【図３】給湯側のダイヤフラムの表面積を大きくした容積エレメントの縦断面図である。
【図４】給水管及び給湯管の基端に設けるハウジングの中にウオーターハンマー防止機構を内蔵した例を示す要部の縦断面図である。
【図５】緩衝材が給水路側に臨む面に断熱皮膜を設けた例を示す要部の縦断面図である。
【図６】給水管の基端に設ける継手と給湯管の基端に設けるハウジングとをオリフィス管によって接続した例を示す要部の縦断面図である。
【図７】図６のハウジングにおいて給湯路側に内径の大きなオリフィスを設けた例を示す要部の縦断面図である。
【図８】図６のハウジングにおいて給水路側及び給湯路側にそれぞれ同じ大きさのオリフィスを設けた例を示す要部の縦断面図である。
【図９】図６のハウジングにおいて給水路側のオリフィスの流路長さを大きくした例を示す要部の縦断面図である。
【図１０】図６のハウジングにおいて給水路側及び給湯路側のそれぞれに２枚のオリフィス板を配置した例を示す要部の縦断面図である。
【図１１】図６のハウジングにおいて容積エレメントをスプリングによって支持した例を示す要部の縦断面図である。
【図１２】湯水混合水栓への給水路及び給湯路を接続するための継手にウオーターハンマー防止構造を備える例を示す切欠平面図である。
【図１３】図１２のＡ−Ａ線矢視による縦断面図である。
【図１４】湯水混合水栓に給水路及び給湯路を接続するダイヤフラム式の圧力平衡弁にウオーターハンマー機構を内蔵した例を示す横断面図である。
【図１５】ピストン式の圧力平衡弁にウオーターハンマー防止機構を内蔵した例を示す横断面図である。
【図１６】図１５におけるピストンの端面に設ける容積エレメントをの配置を示すための要部の縦断面図である。
【符号の説明】
１  ：水栓本体
１ａ：給水路
１ｂ：給湯路
２ａ：給水管
２ｂ：給湯管
４  ：緩衝ユニット
５  ：容積エレメント
５ａ：外ケース
５ｂ：内ケース
５ｃ：ダイヤフラム
５ｄ：ダイヤフラム
６  ：緩衝材
７  ：ハウジング
７ａ：給水路
７ｂ：給湯路
８ａ：給水配管
８ｂ：給湯配管
９  ：ハウジング
９ａ：給湯路
１０  ：継手ブロック
１０ａ：給水路
１１  ：オリフィス管
１２ａ：湯用オリフィス
１３ａ：水用オリフィス
１４ａ：水用オリフィス
１５ａ：湯用オリフィス
１６ａ：湯用オリフィス
１７  ：水側スプリング
１８  ：湯側スプリング
２１  ：水栓本体
２３  ：継手
２３ｄ：水室
２３ｅ：湯室
２４  ：オリフィス
３１  ：本体
３１ｃ：水室
３１ｄ：湯室
３２  ：弁座ブロック
３３  ：弁座ブロック
３４  ：スピンドル
３４ａ：水弁体
３４ｂ：湯弁体
３６  ：容積エレメント
３６ａ：ダイヤフラム
３６ｂ：ダイヤフラム
３６ｃ：緩衝材
４１  ：本体
４２ａ：水弁座
４２ｂ：湯弁座
４３  ：スピンドル
４３ａ：水弁体
４３ｂ：湯弁体
４４  ：ピストン
４５  ：容積エレメント
４５ａ：ダイヤフラム
４５ｂ：緩衝材
４６  ：容積エレメント
【図１】
0003628432.tif 000002
【図２】
0003628432.tif 000003
【図３】
0003628432.tif 000004
【図４】
0003628432.tif 000005
【図５】
0003628432.tif 000006
【図６】
0003628432.tif 000007
【図７】
0003628432.tif 000008
【図８】
0003628432.tif 000009
【図９】
0003628432.tif 000010
【図１０】
0003628432.tif 000011
【図１１】
0003628432.tif 000012
【図１２】
0003628432.tif 000013
【図１３】
0003628432.tif 000014
【図１４】
0003628432.tif 000015
【図１５】
0003628432.tif 000016
【図１６】
0003628432.tif 000017